(57)【要約】ユーザ端末（１）と１つ又はそれ以上のサーバ（４、８、９）とを接続するネットワーク（２、７）を備える情報システムにおいて、端末に有効な局所的なユーザの好みと、前記の１つ又はそれ以上のサーバに有効な非局所的なユーザの好みとを設定する方法、システム及び端末が提供される。好みの設定ファイルは、前記サーバの１つから関連する端末にダウンロードされ、端末のユーザによりユーザの局所的及び／又は非局所的な好みを記入される。その後、記入された好みの設定ファイルは、サーバ（９）にアップロードされる。１つ又はそれ以上の好みのグループ（「ムード」）が、記入された局所的及び／又は非局所的な好みに割り当てられる。ユーザは、前記好みのグループのうちの１つを選択し、関連するサーバ（９）において、選択された好みのグループに割り当てられた局所的及び／又は非局所的な好みを取り出して、端末、及びネットワーク、及び／又は１つ又はそれ以上のサーバにおいて、関連する好みを動作可能化することができる。
2006511858.tif 000002
【特許請求の範囲】
【請求項１】
ユーザ端末であって、制御手段（１２）と、ユーザ・インターフェース（１７、１８）と、前記端末及び１つ又はそれ以上のサーバ（４、８、９）をネットワーク（２、７）を介して相互作用させる手段とを備え、前記端末自体に有効な局所的なユーザの好みと、前記１つ又はそれ以上のサーバ（４、８、９）に対して有効な非局所的なユーザの好みとについて、前記ユーザ・インターフェースと協同する手段（１２、１３）を含むユーザ端末。
【請求項２】
請求項１記載のユーザ端末であって、前記手段が、
前記ユーザにより前記ユーザ・インターフェースを介して前記ユーザの局所的及び／又は非局所的な好みを記入される好みの設定ファイルを、前記サーバの１つからダウンロードして表示することと、
前記局所的及び／又は非局所的な好みを記入された前記好みの設定ファイルを、前記関連するサーバ（９）にアップロードすることと、
に適するユーザ端末。
【請求項３】
請求項２記載のユーザ端末であって、前記手段が、１つ又はそれ以上の好みのグループを、前記記入された局所的及び／又は非局所的な好みに割り当てることに適するユーザ端末。
【請求項４】
請求項３記載のユーザ端末であって、前記手段が、
前記ユーザ・インターフェースを介して、前記好みのグループのうちの１つを選択することと、
前記関連するサーバ（９）において、前記選択された好みのグループに割り当てられた前記局所的及び／又は非局所的な好みを取り出すことと、
前記端末及び前記ネットワーク、及び／又は１つ又はそれ以上のサーバにおいて、前記関連する好みを動作可能化することと、
に適するユーザ端末。
【請求項５】
請求項４記載のユーザ端末であって、該端末において前記好みを動作可能化するのに適したアプリケーション・プログラム・インターフェース（１３）を備えるユーザ端末。
【請求項６】
請求項４記載のユーザ端末であって、ネットワーク（２）における前記好みを遠隔から動作可能化するのに適したアプリケーション・プログラム・インターフェース（１３）を備えるユーザ端末。
【請求項７】
ユーザ端末（１）と１つ又はそれ以上のサーバ（４、８、９）とを接続するネットワーク（２、７）であって、前記端末の１つ又はそれ以上と、前記サーバの１つ又はそれ以上とが、ネットワーク（２、７）を介して互いに相互作用する手段を備えるネットワークと、
前記端末自体に有効な局所的なユーザの好みと、前記１つ又はそれ以上のサーバに有効な非局所的なユーザの好みとを設定する手段と、
を備える情報システム。
【請求項８】
請求項７記載の情報システムであって、前記手段が、
前記サーバの１つから前記端末へ好みの設定ファイルをダウンロードすることと、
ユーザ・インターフェースを介した前記ユーザからの入力により、前記好みの設定ファイルに前記ユーザの局所的及び／又は非局所的な好みを記入することと、
前記局所的及び／又は非局所的な好みを記入された前記好みの設定ファイルを、関連する前記サーバ（９）にアップロードすることと、
に適する情報システム。
【請求項９】
請求項８記載の情報システムであって、前記手段が、１つ又はそれ以上の好みのグループを、前記記入された局所的及び／又は非局所的な好みに割り当てることに適する情報システム。
【請求項１０】
請求項９記載の情報システムであって、前記手段が、
前記ユーザ・インターフェースを介して、前記ユーザにより前記好みのグループの１つを選択することと、
前記関連サーバ（９）において、前記選択された好みのグループに割り当てられた前記局所的及び／又は非局所的な好みを取り出すことと、
前記端末及び前記ネットワーク、及び／又は前記１つ又はそれ以上のサーバにおいて、前記関連する好みを動作可能化することと、
に適した情報システム。
【請求項１１】
請求項１０記載の情報システムであって、前記端末が、前記端末において前記好みを動作可能化するのに適したアプリケーション・プログラム・インターフェース（１３）を備える方法。
【請求項１２】
請求項１０記載の情報システムであって、前記関連ネットワークが、前記ネットワークにおいて前記好みを動作可能化するのに適したアプリケーション・プログラム・インターフェース（２２）を備える情報システム。
【請求項１３】
ユーザ端末（１）と１つ又はそれ以上のサーバ（４、８、９）とを接続するネットワーク（２、７）を備える情報システムにおいて、前記端末に有効な局所的なユーザの好みと、前記１つ又はそれ以上のサーバに対して有効な非局所的なユーザの好みとを設定する方法であって、
前記サーバの１つから関連する前記端末へ、好みの設定ファイルをダウンロードするステップと、
ユーザ・インターフェースを介した前記端末のユーザからの入力により、前記好みの設定ファイルに前記ユーザの局所的及び／又は非局所的な好みを記入し、１つ又はそれ以上の好みのグループを前記記入された局所的及び／又は非局所的な好みに割り当てるステップと、
前記局所的及び／又は非局所的な好みを記入された前記好みの設定ファイルを、関連する前記サーバ（９）にアップロードするステップと、
前記ユーザ・インターフェースを介して、前記ユーザにより前記好みのグループのうちの１つを選択するステップと、
前記関連サーバ（９）において、前記選択された好みのグループに割り当てられた前記局所的及び／又は非局所的な好みを取り出すステップと、
前記端末及び前記ネットワーク、及び／又は前記１つ又はそれ以上のサーバにおいて、前記関連する好みを動作可能化するステップと、
を備える方法。
【発明の詳細な説明】
【技術分野】
【０００１】
発明の分野
本発明は、ユーザ端末、或いはユーザ端末が接続され得る情報システム又は送信システムにおいて記入されるユーザの好みの設定に関する。
【０００２】
発明の背景
ユーザの個人的な好み及びニーズに合わせて構成又はプログラムすることができる様々な端末がある。
【０００３】
例えば、グラフィカル・ユーザ・インターフェースを持つコンピュータは、背景画像を設定し、色のスキーマをカスタマイズし、イベントに対する音をカスタマイズし、メニュー及び機能へのアクセス可能性のようなソフトウェア固有の特徴を設定することにより、個人化することができる。コンピュータが電子メール、チャット又はＩＰ電話のような通信に利用される場合、ユーザは、メッセージが到着した際に現れるポップアップ画面や、条件に基づく受信／送信メッセージの遮断のようなイベントをプログラムすることが可能である。
【０００４】
そのような端末の他の例には、メニューを介して構成することができる携帯電話機がある。携帯電話機のメニュー・ボタンを押すことにより、ユーザは、電話自体に関する設定を変更し、セキュリティ設定を変更し、ネットワーク設定を変更し、プロファイルを選択又は修正することができる。電話自体に関する設定の例としては、ユーザ・インターフェースの言語の選択、ディスプレイのコントラストの調節、ビルト・インの時計の外見の調節などがある。セキュリティ設定は、ユーザにより設定及び変更され得るピン・コードと関連付けられる。ネットワーク設定は、ネットワークにおける携帯電話機の動作を設定するために利用される。例えば、ユーザは、ネットワークが変わる場合に、携帯電話が受信した通信信号の強さに基づいて自動的にネットワークを選択するか、ユーザによる手動の選択がなされなければならないかを選ぶことが可能である。プロファイルは、携帯電話機における多くの変更を一度に行うために利用される。プロファイルには、例えば、「通常の環境」、「静かな環境」、「会議」及び「車内」がある。プロファイルを選択することにより、着信音、着信音の大きさ、バイブレーション、及び電話自体に関する設定が一度に選択される。ユーザは、プロファイルの設定を修正することが可能である。
【０００５】
端末を構成及びプログラムすることに加えて、ユーザに、端末が接続するネットワークを変更させることが可能である。例えば、携帯電話機を持つユーザは、特定の番号に電話することにより、又は携帯電話機のショートカットを利用することにより、転送設定を変更して、全ての着信呼を他の端末に転送させることが可能である。他の例としては、ネットワークに置かれ、ユーザが電話に応答しない場合に発信者がメッセージを残すために利用され得るボイスメール・ボックスの利用（不）可能化がある。
【０００６】
特定の瞬間及び／場所における端末ユーザの状態を技術的に検出することが重要である。例えば、ユーザが仕事上の会議に出席しているとき、又はロマンティックなデートをしているときに、軽食の特価提供に関する（端末にプッシュされ得る、即ちユーザの要求なしに端末に送信され得る）広告を移動端末が受信し表示することは望ましくない。一般に、発信者又はネットワークがユーザの現在の状態（又はモード、ムード又は環境）を技術的に検出することができないという事実は、プッシュされるコンテンツの配信の成功に対する重要な障害とみなされる。ユーザは既に自らの端末を多数のプロファイルに設定することに慣れているが、それらのプロファイル設定は、発信者又はネットワークにより検出することができない局所的な端末設定である。
【０００７】
発明の概要
本発明の１つの態様は、端末自体に有効な局所的なユーザの好みと、１つ又はそれ以上のサーバに対して有効な非局所的なユーザの好みとを端末が設定することを可能とする。他の態様は、端末及び／又はネットワーク及び／又は外部サーバに有効なユーザの好みの設定のために、１つの共通なユーザ・インターフェース及び／又はプラットフォームを適用するものである。
【０００８】
更なる態様は、ユーザが電気通信ネットワーク及び／又はデータ・ネットワークにおける所望の好みを入力するために利用し得る入力欄を含む「ユーザの好みの設定ページ」又はそれに類するものを、（例えばＷＡＰ、ｉモード等により）インターネット・サーバからロードするものである。例えば端末の制御ソフトウェアにリンクされた「アプリケーション・プログラム・インターフェース」（ＡＰＩ）を用いることにより、同一のインターネット・ページを介して、局所的な端末設定が実行され得る。
【０００９】
ユーザは、例えばユーザの「モード」、「ムード」又は「環境」に適応されたユーザの好みを設定、再設定又は修正するために、「ユーザの好みの設定ページ」を利用し得る。所望の適切な「ムード」を選択することにより、端末内部において、及び端末外部において即ち関連するサーバにより、端末の動作、即ち端末自体及びユーザに供給されるべき情報に適用される。
【００１０】
以下において「ムードページ」とも呼ばれる「ユーザの好みの設定ページ」は、例えば「買い物モード」、「仕事モード」、「休日モード」、「ロマンティック・モード」等を設定するために利用され得る。個々のモードは、設定パラメータのグループ（クラスタ）を含み、設定パラメータのなかには、例えば着信音モードのような端末自体に関連するものや、端末に送信される又はされない情報の形式及び／又は内容に関するものが含まれる。また、前記のグループには、ネットワーク設定（パラメータ）も組み込まれ得る。
【００１１】
「ムードページ」は、様々な他の情報サービスが呼び出され、及び／又はそれらのサービスがコンテンツを関連するユーザ端末に配信するよう経路決定され得る交換（interchange）ページとして役立つ「ポータル」の形態をとることが望ましい。
【００１２】
詳細な説明
図１において、端末１は、基地局３を介して電気通信ネットワーク２と接続され得る。ネットワーク２は、データベース５を含む制御手段４により制御される。制御手段４は、複数のサーバ、交換機、レジスタ及び／又はデータベースを含み得る。制御手段は、１つ又は複数の関連データベースに登録され得るユーザの好みの無駄のない適応に適した「インテリジェント・ネットワーク」（ＩＮ）の技術に基づき得る。例えば本出願人の欧州特許第２０７９３７９号によって知られるような電話又はインターネットのインターフェース・サーバ６により、電気通信ネットワーク２は、インターネット（「ワールド・ワイド・ウェブ」）７又は任意の他のデータ・ネットワークにリンクされる。インターネット７には、描画、テキスト、画像、音声又はビデオの形式の情報を配信することができるサーバ８が接続される。サーバ９は、オプションとして、端末１のような移動端末へのサービス又は移動端末からのサービスのための「ポータル」として機能し得る。
【００１３】
図２は、端末１の構成をより詳細に示す概略図である。アンテナ１０は送受信機１１に接続され、送受信機１１は、端末コントローラ１２に接続される。コントローラ１２は、ＡＰＩモジュール１３と、レジスタ１４と、カメラ１５と、スピーカ１６と、ビデオ表示画面１７と、キーボード１９及び指示装置２０を備える入力モジュール１８と、マイクロフォン２１とに接続される。説明のため、様々なモジュール間の接続は、図２に表示していない。図２の例は、携帯電話機を示す。通信手段を備えている限り、ＰＤＡ、オーガナイザ、及びモバイル・コンピュータのような他の種別の端末を利用することも可能である。
【００１４】
端末１は、ネットワーク２を介して他の端末へ呼を発信し得る。そのような呼は、キーボード１９、コントローラ１２、送受信機１１、アンテナ１０、１つ又はそれ以上の基地局３、及び関連する受信端末への接続を構成するネットワーク制御手段４により構成され得る。他の端末から端末１への呼は、同じ方法で制御手段４に到着し、その後、制御手段４は、例えばデータベース５に登録された端末１の位置情報に導かれて、関連する基地局３を介した端末１への接続を構成する。受信された呼は、アンテナ１０及び送受信機１１を介してコントローラ１２に到達し、結果として、例えばスピーカ１６により着信音が出力される。すると、端末ユーザは、キーボード１９の関連するボタンを押すことにより、電話をとることができる。
【００１５】
ユーザが例えば会議に出席している場合、ユーザは、例えばキーボード１９を介して局所的に、端末の着信音を「仕事」モードに設定しているかもしれない。又は、他の環境において、ユーザは、例えばある程度ユーザの好みの音楽のような、特定の好ましい着信音を設定し得る。端末１は、他の端末との音声接続を行うだけではなく、インターネット・サーバ８と通信することが可能であり得る。そのため、端末１は、インターフェース６を介して関連するポータル・サーバ９に接続し得る。ポータル９を介して、サーバ８の１つ又はそれ以上から、情報（テキスト、描画、ビデオ、音声等）がダウンロード（又はサーバ８へアップロード）され得る。前記の情報は、端末１に送信され、端末のディスプレイ１７及び／又は音声情報の場合にはスピーカ１６により提示される。
【００１６】
上記の通り端末内で好みを設定する以外に、ユーザは、電気通信ネットワーク２内においてユーザの好みを設定することが可能であり、該設定はデータベース５、及び／又はインターネット領域におけるユーザの好み（例えば、ポータル９及び／又は１つ又はそれ以上のサーバ８（内のファイル）内の好み）に登録され得る。
【００１７】
ユーザの好みは、例えば着信音設定のような局所的な端末に関する好みと、電気通信ネットワーク及び／又はインターネットに登録される外部設定とを設定するための、端末１に存在する１つの共通の（例えばグラフィックな）ユーザ・インターフェースを用いて設定され得る。そのため、端末１は、ＡＰＩ（アプリケーション・プログラム・インターフェース）又は同等のモジュール１３を備える。一般に、ＡＰＩは、オペレーティング・システム、又はデータベース管理システム或いは通信プロトコルのような他の制御プログラムと通信するためにアプリケーション・プログラムにより利用される言語及びメッセージ形式を含むソフトウェア・モジュールである。ＡＰＩは、所望のサブルーチンを実行するためのリンクを提供する関数呼び出しを、プログラムに書き込むことにより実現され得る。従って、ＡＰＩは、処理を実行するための何らかのプログラム・モジュールがコンピュータにおいて利用可能であること、又はプログラム・モジュールがタスクを実行する既存のプログラムにリンクされていることを意味する。
【００１８】
端末１は、インターネット・ポータル・サーバ９に接続されているため、様々な「ムード」、「モード」又は「環境」（以後、「ムード」と呼ぶ）にクラスタ化されたユーザの好みのパラメータをユーザが記入し得る欄を含む、画面１７に表示される共通の設定インターネット・ページ（「好みの設定ページ」）をロードすることができる。パラメータの一部は、端末のレジスタ１４に登録される端末のハードウェア及び／又はソフトウェアに関する局所的な端末設定に適用され得る。パラメータの一部は、また、データベース５に登録される電気通信ネットワーク２の設定に適用され得る。更に、ユーザの好みの設定の一部は、サーバ９のようにポータル機能を備える又はサーバ８のようにポータル機能を備えない、１つ又はそれ以上のインターネット・サーバに適用され得る。
【００１９】
例えば「仕事」というムードに対するユーザの好みのパラメータは、例えば、
−端末の着信音をブザー又は振動にする設定のような、端末レジスタ１４に登録されるべき１つ又はそれ以上の端末パラメータ、
−例えば、一人又は数人の制限された発信者のみがユーザの端末１にアクセスでき、残りの全ての発信者は例えば秘書の電話番号又はユーザのボイスメール・ボックスに転送される設定のような、例えばネットワーク２の設定等の、ネットワーク制御データベース５に登録されるべき１つ又はそれ以上のネットワーク・パラメータ、
−端末の画面１７を介してユーザに表示されるインターネット・ページの形式（フォント、背景）に関する好みの設定のような、ポータル・サーバに登録されるべき１つ又はそれ以上のポータル・サーバ・パラメータ、及び
−例えば関連する株価情報又は選択されたビジネス・ニュース等の、端末１にダウンロードされるコンテンツの設定のような、ポータル・サーバ９及び／又は関連するコンテンツ・サーバ８に登録されるべき１つ又はそれ以上のコンテンツ・プロバイダ・パラメータ
を備え得る。
【００２０】
それらのパラメータは全て、前記の「好みの設定ページ」に入力され、本例では「仕事のムード」に関連付けられる（及びクラスタ化される）。同じページは、好みが「家庭」、「休日」、「趣味」等の他のムードに関連づけられる入力欄を含み得る。クラスタ化される全ての好みは、全ての「ムード」に共通する１つの「好みの設定ページ」により入力されても、「ムード」ごとに別個の「好みの設定ページ」を介して入力されてもよい。
【００２１】
全てのパラメータは、このように、１つ又は複数の「好みの設定ページ」を介して記録され、ポータル・サーバ９に送信されて、ポータル・サーバ９に登録される。
端末のユーザは、様々なムードに対する自身の好みをポータル・サーバ９に送信した後で、ポータル９において「ムードページ」を呼び出し、例えば「仕事」のムードのようなその時点の自身のムードを選択又は設定することにより、自身の好みをロードし動作可能化することができる。
【００２２】
ユーザが「仕事」のムードを選択してポータル・サーバ９に提示すると、ポータル・サーバ９は、関連する「好みの設定ページ」からユーザの好みのパラメータを取り出し、関連するインターネット関係のパラメータを、ポータル９及び関連するリンクされたサーバ８において動作可能化する。例えば電気通信ネットワーク２の内部及び／又は端末１自体の内部のようなインターネット領域の外部で有効なパラメータは、端末１に返送され、ＡＰＩモジュール１３を介して端末１のコントローラ１２に設定される。ＡＰＩモジュール１３は、ポータル９から返送されたインターネット以外の好みの内容（具体的にはパラメータ）を読み取って解釈し、コントローラ１２と相互作用して、例えば着信音設定のような端末設定を行う。更に、ＡＰＩモジュール１３は、コントローラ１２を介して、電気通信ネットワークに対する設定を出力し得る。通常は例えばキーボード１９を用いたユーザの入力により設定されなければならないそれらのネットワーク設定は、コントローラ１２によりネットワーク制御手段４に転送され、関連するネットワーク・データベース５に登録される。
【００２３】
「好みの設定ページ」と呼ばれる電子的なフォームに記入して、局所的な（端末の）及び非局所的な（ネットワーク及び／又はサーバの）設定に関する様々な「ムード」を登録しクラスタ化することにより、端末のユーザは、例えば関連するムード（クラスタ）を選択してポータル９に提示することで、自身の端末、ネットワーク及びサーバの好みを、自身のムード、モード又は環境に瞬時に適応させることが可能となる。ポータル９は、その後、選択されたムードに割り当てられた、先に入力された全てのパラメータを取り出す。パラメータは、ポータル及び関連するサーバの設定をユーザの「ムード」に適応させるために、及び、関連するパラメータが端末１に返送された後に、端末のコントローラ１２を介して端末１及び／又はネットワーク２の設定を行うために利用される。
【００２４】
局所の及びネットワークのパラメータを、ポータルから端末及び／又はネットワークに返送する必要性が起こらないようにするためには、それらのパラメータを、ポータル・サーバ９の代わりに、端末１及びネットワーク２にそれぞれ登録することが望ましいことに注意すべきである。そのため、局所の及びネットワークのパラメータは、ユーザが記入を終えたときに、「好みの設定ページ」のフォームから読み取られる。全ての好みのパラメータが記入されると、フォームは、ポータル９に提示される。ＡＰＩモジュール１３は、「好みの設定ページ」のフォームによりパラメータが提示されると、提示されたパラメータを途中で受信して、関連するムード項目（例えば「仕事」）のラベルを付けられた（クラスタ化された）端末及び／又はネットワークのパラメータを、レジスタ１４に局所的に登録するようプログラムされ得る。後でユーザが他のムードを動作可能化しようと決定した場合に所望の方法で動作するために、ＡＰＩモジュール１３は、ユーザが、ポータル９から呼び出された「モードのページ」を用いて例えば「仕事」という（新しい）ムードを提示した際に、その新しいムード項目（例えば、「仕事」）を途中で受信し、レジスタ１４において、「仕事」というラベルに割り当てられた局所の又はネットワークのパラメータを局所的に取り出すようプログラムされる。端末は、局所的に登録されたパラメータを動作可能化し、インターネット関連のパラメータは、ポータル９によって取り出されて、動作可能化される。端末及びネットワークのパラメータは、既に端末１に存在するため、それらのパラメータを端末に返送する必要はない。
【００２５】
完全にするため、ネットワーク制御手段４に、（更なる）ＡＰＩモジュール２２を備えることが望ましいことに注意すべきである。該モジュールは、制御手段４が、「仕事」等の様々なユーザのムードに関連付けられたユーザ関連の好ましいネットワーク設定に有効なパラメータを途中で受信し、データベース５に登録し、後でデータベース５から取り出すことを可能とする。その場合、端末１は、レジスタ１４及びＡＰＩモジュール１３を用いて、関連する端末のパラメータを局所的に途中で受信し、登録し、取り出し、ネットワーク制御手段４は、データベース５及び前記ＡＰＩモジュール２２を用いて、関連するネットワーク・パラメータを途中で受信し、登録し、取り出すことが可能である。インターネット関連のパラメータのみが、ポータル・サーバ９及び／又はコンテンツ・サーバ８に登録され、取り出されなければならない。
【００２６】
好みの設定ページ又はムードページは、また、関連する移動端末１を介さずに、インターネット７に接続された例えばデータ端末又はコンピュータによって呼び出され、記入され得ることに注意すべきである。関連するムードページは、権限のないアクセスに対してセキュリティを保たれ得る。更に、幾つかのムードページのパラメータは、例えば請求口座などの請求面に関連し得る。例えば、ムードとして「仕事」を選択することにより、端末、電気通信ネットワーク２、及び／又はサーバ８及び／又は９のインターネット関連サービスの使用は、仕事の口座を用いて請求され、ユーザが「休日」のような私的なモードを選択した場合には、端末、電気通信ネットワーク及び／又はインターネット関連サービスの費用は、私的なユーザの口座に属するものとされ得る。
【図面の簡単な説明】
【００２７】
【図１】図１は、インターネット、移動通信ネットワーク、及び移動端末を概念的に示す。
【図２】図２は、電気通信ネットワーク及びインターネットと協同することを可能とされた移動端末の実施の形態を概念的に示す。
【図１】
2006511858.tif 000003
【図２】
2006511858.tif 000004
【国際調査報告】
2006511858.tif 000005
2006511858.tif 000006
2006511858.tif 000007
2006511858.tif 000008